(57)【要約】      （修正有）【課題】シュレッダー機による幼児の指挟み、指切断事故等を未然に防止する補助的部品を提供する。【解決手段】シュレッダー機の刃の部分から、５ｃｍ位、上方からのみ、紙を差込める補助器。つまり、５ｃｍ位上方からだと、幼児の指も届かなくなる。又、幅も徐々に狭くなる為、指が入らない構図。これを取付けることにより、幼児の指切断事故等が未然に防げる。（上方４ｍｍ、下方２ｍｍでラッパ状に徐々に狭くなる。）【選択図】図１
0003143556.tif 000002
【実用新案登録請求の範囲】
【請求項１】
シュレッダー機による幼児の指切断等のケガを防ぐ為の補助的部品。
【考案の詳細な説明】
【技術分野】
【０００１】シュレッダー機による幼児の指切断等のケガを防ぐ為の補助的部品。
【背景技術】
【０００２】近年、情報漏洩を防ぐ為、シュレッダー機が個人の家庭でも普及する様になり、それ故、幼児の指切断等の事故も多発している。それを防ぐ手段として、補助的な器具を取付けることにより、幼児のケガ等を未然に防止しようとするもの。再度製作し直すより安価。
【考案の開示】
【考案が解決しようとする課題】
【０００３】幼児の指挟み事故を未然に防ぐ。
【課題を解決するための手段】
【０００４】シュレッダー機に補助器を取付ける。
【図面の簡単な説明】
【０００５】
【図１】機械の作動している場所（シュレッダー機の刃）から５ｃｍ位上方から、紙を差込む為の補助器。これを取付けることにより、シュレッダーの刃の部分に幼児の指が届かなくなる。本考案〔図１〕は横断面図である。補助器が徐々にせまくなり、幼児の指が入りにくくなることを表している。
【図２】本考案の正面図である。シュレッダー刃の部分上方に、補助器を取付けることを表している。
【図１】
0003143556.tif 000003
【図２】
0003143556.tif 000004
【手続補正書】
【提出日】平成18年12月7日(2006.12.7)
【手続補正１】
【補正対象書類名】実用新案登録請求の範囲
【補正対象項目名】請求項１
【補正方法】追加
【補正の内容】
【請求項１】
シュレッダ−機による幼児の指切断等のケガを防ぐ為の補助的部品。従来のシュレッダ−機に取付け可能な為、補助部品のみの製造であり、本体から全て製造し直すよりメ−カ−にも安価であり、また、消費者にも安価に入手出来る為メリットが高い。（以下説明）・従来のシュレッダ−機に接続するオプション品として、これを取付けることにより、幼児の指が入り難くなり指切断事故等を未然に防ぐ、という補助的部品です。
☆形状：「〔図１〕」の横断面図にあります様に、上部幅４ｍｍ、下部幅２ｍｍのラッパ状の形で、下方に行く程狭くなる、といった形ですが、紙差込口は、紙が入り易い様に、幅４ｍｍにしました。補助部品の高さは、５ｃｍですが、この上部から１ｃｍの所迄がラッパ状で、残る４ｃｍは幅２ｍｍの形状です。補助部品の横の長さは、「〔図２〕」の正面図にもあります様に、シュレッダ−機本体の刃のある部分、全て、カバ−する長さであり（各メ−カ−により、長さが異なる場合も考えられる為、敢えて数値は記載致しませんが）、更に、差込口に紙が容易に入り易い様に、角度を、水平面から測って８５度位にし、微妙に傾斜を持たせます。
☆材質：透明なプラスチックにし、シュレッダ−刃の部分に、紙が到達しているか否か、目視出来る様にします。
☆構造又は組合わせ：この補助的部品は、着脱可能な為、下部に、シュレッダ−本体に取付ける際、爪部分を本体の差込口に引っ掛けます。（〔手続補正２〕」の「〔補正の内容〕の「〔図１〕」参照）尚、この爪の材質は金属であり、元々、補助的部品に埋め込まれているものです。
【手続補正２】
【補正対象書類名】図面
【補正対象項目名】図１
【補正方法】変更
【補正の内容】
【図１】
0003143556.tif 000005
【手続補正３】
【補正対象書類名】図面
【補正対象項目名】図２
【補正方法】変更
【補正の内容】
【図２】
0003143556.tif 000006
【手続補正書】
【提出日】平成18年12月11日(2006.12.11)
【手続補正１】
【補正対象書類名】実用新案登録請求の範囲
【補正対象項目名】請求項１
【補正方法】追加
【補正の内容】
【請求項１】
シュレッダ−機による幼児の指切断等のケガを防ぐ為の補助的部品。従来のシュレッダ−機に取付け可能な為、補助部品のみの製造であり、本体から全て製造し直すよりメ−カ−にも安価であり、また、消費者にも安価に入手出来る為メリットが高い。（以下説明）・従来のシュレッダ−機に接続するオプション品として、これを取付けることにより、幼児の指が入り難くなり指切断事故等を未然に防ぐ、という補助的部品です。
形状：「図１」の横断面図にあります様に、上部内幅４ｍｍ、下部内幅２ｍｍのラッパ状の形で、下方に行く程狭くなる、といった形ですが、紙差込口は、紙が入り易い様に、幅４ｍｍにしました。補助部品の高さは、５ｃｍですが、この上部から１ｃｍの所迄がラッパ状で、残る４ｃｍは幅２ｍｍの形状です。補助部品の横の長さは、「図２」の正面図にもあります様に、シュレッダ−機本体の刃のある部分、全て、カバ−する長さであり（各メ−カ−により、長さが異なる場合も考えられる為、敢えて数値は記載致しませんが）、更に、差込口に紙が容易に入り易い様に、角度を、水平面から測って８５度位にし、微妙に傾斜を持たせます。
材質：透明なプラスチックにし、シュレッダ−刃の部分に、紙が到達しているか否か、目視出来る様にします。
構造又は組合わせ：この補助的部品は、着脱可能な為、下部に、シュレッダ−本体に取付ける際、爪部分を本体の差込口に引っ掛けます。（「手続補正２」の「補正の内容」の「図１」参照）尚、この爪の材質は金属であり、元々、補助的部品に埋め込まれているものです。
【手続補正２】
【補正対象書類名】図面
【補正対象項目名】図１
【補正方法】追加
【補正の内容】
【図１】
0003143556.tif 000007
【手続補正３】
【補正対象書類名】図面
【補正対象項目名】図２
【補正方法】追加
【補正の内容】
【図２】
0003143556.tif 000008
【手続補正書】
【提出日】平成19年4月23日(2007.4.23)
【手続補正１】
【補正対象書類名】実用新案登録請求の範囲
【補正対象項目名】全文
【補正方法】変更
【補正の内容】
【実用新案登録請求の範囲】
【請求項１】
・シュレッダ−機による幼児の指切断等の事故防止用補助的部品。名称は「シュレッダ−補助器」。
・形状：・「図２」シュレッダ−補助器の正面図において、
（１）シュレッダ−補助器の高さ５ｃｍ×横幅約３５ｃｍ。メ−カ−や機種によりシュレッダ−刃部横幅が異なる為、約３５ｃｍとしたがＡ３用紙が縦に入る横幅
（２）シュレッダ−補助器上部（紙差込み口）外幅２ｃｍ  内幅４ｃｍ、シュレッダ−補助器下部（シュレッダ−機本体に取付ける部分）外幅６ｍｍ  内幅２ｍｍ
（３）下部にはシュレッダ−機本体に取付ける為に、金属製のバネ状でシュレッダ−機本体紙差込み口を挟み込む「爪部分」があり、この一部１ｃｍは透明なプラスチック製のシュレッダ−補助器に埋め込まれており、其処とバネの様に挟み込む、１．５ｃｍの蛇の鎌首形の戻って返す部分がある、
以上からなるシュレッダ−補助器。
・「図１」シュレッダ−補助器の横断面図において、
（１）プラスチック製シュレッダ−補助器の高さ５ｃｍ×上部外幅２ｃｍ、
（２）シュレッダ−補助器上部片側の厚さ８ｍｍ、シュレッダ−補助器下部片側の厚さ２ｍｍ、
（３）シュレッダ−補助器上部内幅４ｍｍ、シュレッダ−補助器下部内幅２ｍｍ、
（４）シュレッダ−補助器の上部の高さから下方へ１ｃｍの所迄、ラッパ状のカ−ブを描く形状を有する、
（５）シュレッダ−補助器下部は更に、シュレッダ−機本体刃部分にシュレッダ−補助器の落ち込み防止の為、ストッパ−状の形状を有しており、此のストッパ−は、シュレッダ−補助器横断面図にある通り、シュレッダ−補助器底部から上方へ計って、ストッパ−片側高さ１ｃｍ×ストッパ−上部片側の厚さ１ｃｍ、更にストッパ−底部片側の厚さ４ｍｍであり、ストッパ−底部からストッパ−上部までの曲線は、ストッパ−上部から計って下方へ５ｍｍの所を起点にし、其処からストッパ−底部にかけてシュレッダ−機本体に沿うようなカ−ブを描く形状を有する、
（６）シュレッダ−補助器に埋め込まれた金属製爪部分は高さ１ｃｍ厚さ１ｍｍでシュレッダ−補助器の内部壁から計って１ｍｍの所に埋め込まれ、ストッパ−底部外側からストッパ−上部に向かって伸び、ストッパ−と対になり両側からシュレッダ−機本体を挟み込むバネ状で内側へ押し戻す力が働き、ストッパ−底部から上方へ計って１．５ｃｍの高さ。其の具体的な形状や数値は、蛇の鎌首の上部横断面幅４ｍｍ、同鎌首上部から下方へ向かって計り８ｍｍの所迄が蛇の鎌首状の形状であり、其処を起点として水平面から計って蛇の鎌首の立上がり迄の角度を１００度とし、又、同起点からストッパ−底部へ向かって傾斜（水平面から計って４５度の角度）し、ストッパ−底部を包むが如くカ−ブを描き乍シュレッダ−補助器内部へ到達する形状を有する、
（７）「シュレッダ−補助器を接続した全体の横断面図」にある様に、シュレッダ−補助器を、紙挿入し易い様、平面から測って８５度の角度にする、
以上からなるシュレッダ−補助器。
・構造又は組み合わせ：この補助器は着脱式で下部をシュレッダ−機本体に取付ける。
【手続補正２】
【補正対象書類名】手続補正書
【補正の内容】
0003143556.tif 000009
0003143556.tif 000010
0003143556.tif 000011
【手続補正書】
【提出日】平成19年8月24日(2007.8.24)
【手続補正１】
【補正対象書類名】実用新案登録請求の範囲
【補正対象項目名】全文
【補正方法】変更
【補正の内容】
【実用新案登録請求の範囲】
【請求項１】
・シュレッダ−機による幼児の指切断等の事故防止用補助的部品。名称は「シュレッダ−補助器」。
・形状：・「図１」シュレッダ−補助器の横断面図において、
（１）プラスチック製シュレッダ−補助器の高さ５ｃｍ×上部外幅２ｃｍ、
（２）シュレッダ−補助器上部片側の厚さ８ｍｍ、シュレッダ−補助器下部片側の厚さ２ｍｍ、
（３）シュレッダ−補助器上部内幅４ｍｍ、シュレッダ−補助器下部内幅２ｍｍ、
（４）シュレッダ−補助器の上部の高さから下方へ１ｃｍの所迄、ラッパ状のカ−ブを描く形状を有する、
（５）シュレッダ−補助器下部は更に、シュレッダ−機本体刃部分にシュレッダ−補助器の落ち込み防止の為、ストッパ−状の形状を有しており、此のストッパ−は、シュレッダ−補助器横断面図にある通り、シュレッダ−補助器底部から上方へ計って、ストッパ−片側高さ１ｃｍ×ストッパ−上部片側の厚さ１ｃｍ、更にストッパ−底部片側の厚さ４ｍｍであり、ストッパ−底部からストッパ−上部までの曲線は、ストッパ−上部から計って下方へ５ｍｍの所を起点にし、其処からストッパ−底部にかけてシュレッダ−機本体に沿うようなカ−ブを描く形状を有する、
（６）シュレッダ−補助器に埋め込まれた金属製爪部分は高さ１ｃｍ厚さ１ｍｍでシュレッダ−補助器の内部壁から計って１ｍｍの所に埋め込まれ、ストッパ−底部外側からストッパ−上部に向かって伸び、ストッパ−と対になり両側からシュレッダ−機本体を挟み込むバネ状で内側へ押し戻そうとする力が働き、ストッパ−底部から上方へ計って高さ１．５ｃｍであり、又其の具体的な形状や数値は、蛇の鎌首の上部横断面幅４ｍｍ，同鎌首上部から下方へ向かって計り８ｍｍの所迄が蛇の鎌首状の形状であり、其処を起点として水平面から計って蛇の鎌首の立上がり迄の角度を１００度とし、又、同起点からストッパ−底部へ向かっての傾斜は水平面から計って４５度の角とし、ストッパ−底部を包むが如くカ−ブを描き乍シュレッダ−補助器内部へ到達する形状を有する、
・「図２」シュレッダ−補助器の正面図において、
（１）シュレッダ−補助器の高さ５ｃｍ×横幅約３５ｃｍ、
（２）シュレッダ−補助器上部である、紙差し込み口は、外幅２ｃｍ，内幅４ｍｍ、シュレッダ−補助器下部であり、シュレッダ−機本体に取り付ける部分は、外幅６ｍｍ，内幅２ｍｍ、
（３）下部にはシュレッダ−機本体に取付ける為に、金属製のバネ状でシュレッダ−機本体紙差込み口を挟み込む「爪部分」があり、この一部１ｃｍは透明なプラスチック製のシュレッダ−補助器に埋め込まれており、其処とバネの様に挟み込む、１．５ｃｍの蛇の鎌首形の戻って返す部分がある、
以上からなるシュレッダ−補助器。
・「図３」シュレッダ−補助器を接続した全体の横断面図において、
（１）シュレッダ−補助器の下部である紙差し込み口は徐々に狭くなっており上部外幅２ｃｍ，下部外幅６ｍｍ，上部内幅４ｍｍ，下部内幅２ｍｍ、
（２）シュレッダ−補助器を、紙挿入し易い様傾斜を持たせており、シュレッダ−機本体の水平面から測って８５度の角度にする、
以上からなるシュレッダ−補助器。
・「図４」シュレッダ−補助器を接続した全体の正面図において、
（１）シュレッダ−補助器の高さ５ｃｍ×横幅約３５ｃｍであるが、これはメ−カ−や機種により刃部横幅が異なる為、約３５ｃｍとしたが、Ａ３用紙が余裕を持って縦に入る位の横幅、
（２）シュレッダ−補助器の上部外幅２ｃｍ，上部内幅４ｍｍ、
以上からなるシュレッダ−補助器。
・材質：シュレッダ−補助器において
（１）「図１」、「図２」にあるように、シュレッダ−補助器の全体的な材質は、挿入紙が見え易い様に、透明なプラスチック製であり、
（２）プラスチック製シュレッダ−補助器に埋め込まれ、蛇の鎌首のようなバネ状の戻りの部分を有した爪部分の材質は、金属製、
以上からなるシュレッダ−補助器。
・色：シュレッダ−補助器において
（１）「図１」、「図２」にあるように、プラスチック製シュレッダ−補助器の色は、透明であり、
（２）プラスチック製シュレッダ−補助器に埋め込まれ、蛇の鎌首のようなバネ状の戻りの部分を有した金属製爪部分の色は、黒、
以上からなるシュレッダ−補助器。
・構造又は組み合わせ：下部がバネ状に押し戻そうとする力が働くことにより、シュレッダ−機本体を挟み込む形になり、着脱式に、取り付け取り外しが可能なシュレッダ−補助器。
【手続補正２】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
0003143556.tif 000012
【図２】
0003143556.tif 000013
【図３】
0003143556.tif 000014
【図４】
0003143556.tif 000015
【手続補正書】
【提出日】平成19年12月20日(2007.12.20)
【手続補正１】
【補正対象書類名】実用新案登録請求の範囲
【補正対象項目名】全文
【補正方法】変更
【補正の内容】
【実用新案登録請求の範囲】
【請求項１】
・シュレッダ−機による幼児の指切断等の事故防止用補助的部品であり、名称は「シュレ  ッダ−補助器」。
・シュレッダ−補助器において、
形状：（１）シュレッダ−機本体に取り付け、
（２）ラッパ状の形状を有し、
（３）シュレッダ−補助器の下部は、シュレッダ−機本体の刃部分にシュレッダ              −補助器の落ち込み防止の為、プラスチック製の部分が、ストッパ−の役              割を果たす形状を有しており、
（４）シュレッダ−補助器に埋め込まれた金属製爪部分は、ストッパ−底部の外              側からストッパ−上部に向かって伸び、ストッパ−と対になり、両側から              シュレッダ−機本体を挟み込み、バネ状で、内側へ押し戻そうとする力が              働き、
（５）金属製爪部分は、上部が、蛇の鎌首状に反り返った形状を有しており、
（６）金属製爪部分は蛇の鎌首状から、シュレッダ−補助器の下部へ向かって、              ストッパ−底部を包むが如く、カ−ブを描きながら、シュレッダ−補助器              内部へ到達する形状を有する、
（７）金属製爪部分の一部は、約１ｃｍ、シュレッダ−補助器の下部に、埋め込              まれた形状を有しており、
（８）シュレッダ−補助器の横幅は、約３５ｃｍであるが、これはメ−カ−や機              種により、シュレッダ−機本体の刃部分の横幅が異なる為、約３５ｃｍと              したが、Ａ３用紙が余裕を持って縦に入る位の横幅であり、
材質：（９）シュレッダ−補助器の全体はプラスチック製であり、
（１０）シュレッダ−補助器に埋め込まれた爪部分は金属製であり、
色：  （１１）シュレッダ−補助器の全体の色は、透明であり、
（１２）シュレッダ−補助器に埋め込まれた、金属製爪部分の色は、黒であり
構造又は組み合わせ：（１３）金属製爪部分が、バネ状に、押し戻そうとする力が働く                              ことにより、
（１４）シュレッダ−機本体を、挟み込む状態になり、
（１５）シュレッダ−機本体から、着脱式に、取り付け取り外し                              が可能、
以上からなるシュレッダ−補助器。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】シュレッダ−機による幼児の指切断等の怪我を防ぐ為の補助的部品。
【背景技術】
【０００２】近年、情報漏洩を防ぐ為、シュレッダ−機が個人の家庭でも普及するようになり、それに伴い幼児の指切断等の事故も多発してきているが、それを防ぐ手段として、補助的な器具を取り付けることにより、幼児の怪我等を未然に防止しようとするもので、再度製作し直すより安価。
【考案の開示】
【考案が解決しようとする課題】
【０００３】幼児の指挟み事故を未然に防ぐ。
【課題を解決する為の手段】
【０００４】シュレッダ−機本体にシュレッダ−補助器を取り付ける。
【考案の効果】
【０００５】シュレッダ−補助器を取り付けることにより、シュレッダ−機本体の刃部分に幼児の指が届かなくなり、指切断等の怪我を未然に防ぐことができる。
【図面の簡単な説明】
【０００６】
【図１】シュレッダ−補助器の横断面図  シュレッダ−機本体の作動しているシュレッダ−機の刃部分の５ｃｍ位上方から紙を差し込む為の補助器であり、本考案「図１」は横断面図であるが、シュレッダ−補助器が徐々に狭くなり幼児の指が入り難くなることを表している。
【０００７】
【図２】シュレッダ−補助器の正面図  本考案の正面図であるが、シュレッダ−機本体の刃部分の上方にシュレッダ−補助器の下方を取り付ける。
【０００８】
【図３】シュレッダ−補助器を接続した全体の横断面図
【０００９】
【図４】シュレッダ−補助器を接続した全体の正面図
【符号の説明】
【００１０】「図１」シュレッダ−補助器の横断面図において
（ア）シュレッダ−補助器の高さ５ｃｍ、
（イ）シュレッダ−補助器の上部外幅２ｃｍ、
（ウ）シュレッダ−補助器上部片側の厚さ８ｍｍ、
（エ）シュレッダ−補助器下部片側の厚さ２ｍｍ、
（オ）シュレッダ−補助器の上部内幅４ｍｍ、
（カ）シュレッダ−補助器の下部内幅２ｍｍ、
（キ）シュレッダ−補助器の下部外幅６ｍｍ、
（ク）シュレッダ−補助器の上部の高さから下方へ１ｃｍの所迄、ラッパ状のカ−ブを        描く、
（ケ）シュレッダ−補助器の底部から上方へ計って、ストッパ−片側高さ１ｃｍ
（コ）ストッパ−上部片側の厚さ１ｃｍ、
（サ）ストッパ−底部片側の厚さ４ｍｍ、
（シ）ストッパ−上部の点Ａから計って下方へ５ｍｍの所を起点Ｂとし、
（ス）ストッパ−底部の点Ｃにかけてシュレッダ−機本体に沿うようなカ−ブを描く
（セ）シュレッダ−補助器に埋め込まれた金属製爪部分は高さ１ｃｍ、
（ソ）金属製爪部分の厚さ０．７ｍｍ、
（タ）金属製爪部分はシュレッダ−補助器の内部壁から計って１ｍｍの所に埋め込まれ        、
（チ）ストッパ−底部の点Ｃから、上方へ計って、蛇の鎌首状の頂点までの高さ１．５        ｃｍ、
（ツ）蛇の鎌首型の上部の横断面幅４ｍｍ、
（テ）蛇の鎌首状は、蛇の鎌首型の頂点から下方へ向かって計り８ｍｍの所迄、
（ト）金属製爪部分の蛇の鎌首状終点を点Ｄとし、
（ナ）点Ｄから水平に直線を伸ばし、其処から蛇の鎌首状の立ち上がり迄の角度を１０        ０度とし、
（ニ）点Ｄからストッパ−底部へ向かっての傾斜角は、金属製爪部分底部から水平に直        線を伸ばした所まで計って４５度とし、
「図２」シュレッダ−補助器の正面図において
（ヌ）シュレッダ−補助器の高さ５ｃｍ
（ネ）シュレッダ−補助器の横幅約３５ｃｍ
（ノ）シュレッダ−補助器の上部である紙差し込み口は、外幅２ｃｍ、
（ハ）シュレッダ−補助器の上部である紙差し込み口の内幅４ｍｍ、
（ヒ）シュレッダ−補助器の下部でありシュレッダ−機本体に取り付ける部分は外幅６        ｍｍ、
（フ）シュレッダ−補助器下部であり、シュレッダ−機本体に取り付ける部分の内幅は        ２ｍｍ、
（ヘ）金属製のバネ状でシュレッダ−機本体紙差込口を挟み込む、金属製爪部分の一部        １ｃｍは、プラスチック製のシュレッダ−補助器に埋め込まれており、其処とバ        ネのように押し戻し挟み込む、
（ホ）ストッパ−底部から計って、高さ１．５ｃｍの蛇の鎌首状に戻って返す部分があ        り、
「図３」シュレッダ−補助器を接続した全体の横断面図において
（マ）シュレッダ−補助器の上部である紙差込口は、徐々に狭くなっており、
（ミ）シュレッダ−補助器の上部外幅２ｃｍ、
（ム）シュレッダ−補助器の下部外幅は６ｍｍ、
（メ）シュレッダ−補助器の上部内幅は４ｍｍ、
（モ）シュレッダ−補助器の下部内幅は２ｍｍ、
（ヤ）シュレッダ−補助器が挿入し易いよう、傾斜角を、シュレッダ−機本体の水平面        から測って８５度とし、
「図４」シュレッダ−補助器を接続した全体の正面図において
（ユ）シュレッダ−補助器の高さ５ｃｍ、
（ヨ）シュレッダ−補助器の横幅約３５ｃｍ、
（ラ）シュレッダ−補助器の上部外幅は２ｃｍ、
（リ）シュレッダ−補助器の上部内幅は４ｍｍ、
以上からなるシュレッダ−補助器。
【手続補正３】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003143556.tif 000016
【図２】
0003143556.tif 000017
【図３】
0003143556.tif 000018
【図４】
0003143556.tif 000019
【手続補正書】
【提出日】平成19年12月21日(2007.12.21)
【手続補正１】
【補正対象書類名】実用新案登録請求の範囲
【補正対象項目名】全文
【補正方法】変更
【補正の内容】
【実用新案登録請求の範囲】
【請求項１】
・シュレッダ−機による幼児の指切断等の事故防止用補助的部品であり、名称は「シュレッダ−補助器」。
・シュレッダ−補助器において、
形状：（１）シュレッダ−機本体に取り付け、
（２）ラッパ状の形状を有し、
（３）シュレッダ−補助器の下部は、シュレッダ−機本体の刃部分にシュレッダ−補助器の落ち込み防止の為、プラスチック製の部分が、ストッパ−の役割を果たす形状を有しており、
（４）シュレッダ−補助器に埋め込まれた金属製爪部分は、ストッパ−底部の外側からストッパ−上部に向かって伸び、ストッパ−と対になり、両側からシュレッダ−機本体を挟み込み、バネ状で、内側へ押し戻そうとする力が働き、
（５）金属製爪部分は、上部が、蛇の鎌首状に反り返った形状を有しており、
（６）金属製爪部分は蛇の鎌首状から、シュレッダ−補助器の下部へ向かって、ストッパ−底部を包むが如く、カ−ブを描きながら、シュレッダ−補助器内部へ到達する形状を有する、
（７）金属製爪部分の一部は、約１ｃｍ、シュレッダ−補助器の下部に、埋め込まれた形状を有しており、
（８）シュレッダ−補助器の横幅は、約３５ｃｍであるが、これはメ−カ−や機種により、シュレッダ−機本体の刃部分の横幅が異なる為、約３５ｃｍとしたが、Ａ３用紙が余裕を持って縦に入る位の横幅であり、
材質：（９）シュレッダ−補助器の全体はプラスチック製であり、
（１０）シュレッダ−補助器に埋め込まれた爪部分は金属製であり、
色：  （１１）シュレッダ−補助器の全体の色は、透明であり、
（１２）シュレッダ−補助器に埋め込まれた、金属製爪部分の色は、黒であり
構造又は組み合わせ：（１３）金属製爪部分が、バネ状に、押し戻そうとする力が働くことにより、
（１４）シュレッダ−機本体を、挟み込む状態になり、
（１５）シュレッダ−機本体から、着脱式に、取り付け取り外しが可能、
以上からなるシュレッダ−補助器。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】シュレッダ−機による幼児の指切断等の怪我を防ぐ為の補助的部品。
【背景技術】
【０００２】近年、情報漏洩を防ぐ為、シュレッダ−機が個人の家庭でも普及するようになり、それに伴い幼児の指切断等の事故も多発してきているが、それを防ぐ手段として、補助的な器具を取り付けることにより、幼児の怪我等を未然に防止しようとするもので、再度製作し直すより安価。
【考案の開示】
【考案が解決しようとする課題】
【０００３】幼児の指挟み事故を未然に防ぐ。
【課題を解決する為の手段】
【０００４】シュレッダ−機本体にシュレッダ−補助器を取り付ける。
【考案の効果】
【０００５】シュレッダ−補助器を取り付けることにより、シュレッダ−機本体の刃部分に幼児の指が届かなくなり、指切断等の怪我を未然に防ぐことができる。
【図面の簡単な説明】
【０００６】
【図１】シュレッダ−補助器の横断面図  シュレッダ−機本体の作動しているシュレッダ−機の刃部分の５ｃｍ位上方から紙を差し込む為の補助器であり、本考案「図１」は横断面図であるが、シュレッダ−補助器が徐々に狭くなり幼児の指が入り難くなることを表している。
【０００７】
【図２】シュレッダ−補助器の正面図  本考案の正面図であるが、シュレッダ−機本体の刃部分の上方にシュレッダ−補助器の下方を取り付ける。
【０００８】
【図３】シュレッダ−補助器を接続した全体の横断面図
【０００９】
【図４】シュレッダ−補助器を接続した全体の正面図
【符号の説明】
【００１０】「図１」シュレッダ−補助器の横断面図において
（ア）シュレッダ−補助器の高さ５ｃｍ、
（イ）シュレッダ−補助器の上部外幅２ｃｍ、
（ウ）シュレッダ−補助器上部片側の厚さ８ｍｍ、
（エ）シュレッダ−補助器下部片側の厚さ２ｍｍ、
（オ）シュレッダ−補助器の上部内幅４ｍｍ、
（カ）シュレッダ−補助器の下部内幅２ｍｍ、
（キ）シュレッダ−補助器の下部外幅６ｍｍ、
（ク）シュレッダ−補助器の上部の高さから下方へ１ｃｍの所迄、ラッパ状のカ−ブを描く、
（ケ）シュレッダ−補助器の底部から上方へ計って、ストッパ−片側高さ１ｃｍ
（コ）ストッパ−上部片側の厚さ１ｃｍ、
（サ）ストッパ−底部片側の厚さ４１ｍｍ、
（シ）ストッパ−上部の点Ａから計って下方へ５ｍｍの所を起点Ｂとし、
（ス）ストッパ−底部の点Ｃにかけてシュレッダ−機本体に沿うようなカ−ブを描く
（セ）シュレッダ−補助器に埋め込まれた金属製爪部分は高さ１ｃｍ、
（ソ）金属製爪部分の厚さ０．７ｍｍ、
（タ）金属製爪部分はシュレッダ−補助器の内部壁から計って１ｍｍの所に埋め込まれ、
（チ）ストッパ−底部の点Ｃから、上方へ計って、蛇の鎌首状の頂点までの高さ１．５ｃｍ、
（ツ）蛇の鎌首型の上部の横断面幅４ｍｍ、
（テ）蛇の鎌首状は、蛇の鎌首型の頂点から下方へ向かって計り８ｍｍの所迄、
（ト）金属製爪部分の蛇の鎌首状終点を点Ｄとし、
（ナ）点Ｄから水平に直線を伸ばし、其処から蛇の鎌首状の立ち上がり迄の角度を１００度とし、
（ニ）点Ｄからストッパ−底部へ向かっての傾斜角は、金属製爪部分底部から水平に直線を伸ばした所まで計って４５度とし、
「図２」シュレッダ−補助器の正面図において
（ヌ）シュレッダ−補助器の高さ５ｃｍ
（ネ）シュレッダ−補助器の横幅約３５ｃｍ
（ノ）シュレッダ−補助器の上部である紙差し込み口は、外幅２ｃｍ、
（ハ）シュレッダ−補助器の上部である紙差し込み口の内幅４ｍｍ、
（ヒ）シュレッダ−補助器の下部でありシュレッダ−機本体に取り付ける部分は外幅６ｍｍ、
（フ）シュレッダ−補助器下部であり、シュレッダ−機本体に取り付ける部分の内幅は２ｍｍ、
（ヘ）金属製のバネ状でシュレッダ−機本体紙差込口を挟み込む、金属製爪部分の一部１ｃｍは、プラスチック製のシュレッダ−補助器に埋め込まれており、其処とバネのように押し戻し挟み込む、
（ホ）ストッパ−底部から計って、高さ１．５ｃｍの蛇の鎌首状に戻って返す部分があり、
「図３」シュレッダ−補助器を接続した全体の横断面図において
（マ）シュレッダ−補助器の上部である紙差込口は、徐々に狭くなっており、
（ミ）シュレッダ−補助器の上部外幅２ｃｍ、
（ム）シュレッダ−補助器の下部外幅は６ｍｍ、
（メ）シュレッダ−補助器の上部内幅は４ｍｍ、
（モ）シュレッダ−補助器の下部内幅は２ｍｍ、
（ヤ）シュレッダ−補助器が挿入し易いよう、傾斜角を、シュレッダ−機本体の水平面から測って８５度とし、
「図４」シュレッダ−補助器を接続した全体の正面図において
（ユ）シュレッダ−補助器の高さ５ｃｍ、
（ヨ）シュレッダ−補助器の横幅約３５ｃｍ、
（ラ）シュレッダ−補助器の上部外幅は２ｃｍ、
（リ）シュレッダ−補助器の上部内幅は４ｍｍ、
以上からなるシュレッダ−補助器。
【手続補正３】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003143556.tif 000020
【図２】
0003143556.tif 000021
【図３】
0003143556.tif 000022
【図４】
0003143556.tif 000023
【手続補正書】
【提出日】平成20年4月20日(2008.4.20)
【手続補正１】
【補正対象書類名】実用新案登録請求の範囲
【補正対象項目名】全文
【補正方法】変更
【補正の内容】
【実用新案登録請求の範囲】
【請求項１】
・シュレッダ−機による幼児の指切断等の事故防止用補助的部品である「シュレッダ−    補助器」
・シュレッダ−補助器において、
形状：（１）シュレッダ−機本体に取り付け、
（２）ラッパ状の形状を有し、
（３）シュレッダ−補助器の下部は、シュレッダ−機本体の刃部分にシュレッ                ダ−補助器の落ち込み防止の為、プラスチック製の部分が、ストッパ−                の役割を果たす形状を有しており、
（４）シュレッダ−補助器に埋め込まれた金属製爪部分は、ストッパ−底部の                外側からストッパ−上部に向かって伸び、ストッパ−と対になり、両側                からシュレッダ−機本体を挟み込み、バネ状で、内側へ押し戻そうとす                る力が働き、
（５）金属製爪部分は、上部が、蛇の鎌首状に反り返った形状を有しており、
（６）金属製爪部分は蛇の鎌首状から、シュレッダ−補助器の下部へ向かって                、ストッパ−底部を包むが如く、カ−ブを描きながら、シュレッダ−補                助器内部へ到達する形状を有する、
（７）金属製爪部分の一部は、約１ｃｍ、シュレッダ−補助器の下部に、埋め                込まれた形状を有しており、
（８）シュレッダ−補助器の横幅は、約３５ｃｍであるが、これはメ−カ−や                機種により、シュレッダ−機本体の刃部分の横幅が異なる為、約３５ｃ                ｍとしたが、Ａ３用紙が余裕を持って縦に入る位の横幅であり、
材質：（９）シュレッダ−補助器の全体はプラスチック製であり、
（１０）シュレッダ−補助器に埋め込まれた爪部分は金属製であり、
色：  （１１）シュレッダ−補助器の全体の色は、透明であり、
（１２）シュレッダ−補助器に埋め込まれた、金属製爪部分の色は黒であり、
構造又は組み合わせ：（１３）金属製爪部分が、バネ状に、押し戻そうとする力が働                                くことにより、
（１４）シュレッダ−機本体を、挟み込む状態になり、
（１５）シュレッダ−機本体から、着脱式に、取り付け取り外                                しが可能、
以上からなるシュレッダ−補助器。